(57)【要約】【課題】警備員の負担を増やすことなく、入退構車両の乗車者に対して、事業所の入退構を迅速かつ精度よく行うことである。【解決手段】入構証読取用ＨＴ１２は、入退構車両１１に乗車する際に乗車者の所持する入構証ＩＣカードのＩＤ番号を読み取り読み取った入構証ＩＣカードの枚数を表示出力する。そして、事業所の入退構の際に入退構車両１１が停止位置１８に一時停止したとき、送受信装置１４は入構証読取用ＨＴ１２に記憶された乗車者のＩＤ番号を演算制御装置１６に送信する。演算制御装置１６は、送受信装置１４で受信した入構証読取用ＨＴ１２に記憶された乗車者のＩＤ番号と照合用ＩＤデータベース１５に記憶された照合用ＩＤ番号とを照合し、適合した適合ＩＤの総数を表示器１７に表示出力するとともに不適合のＩＤ番号を送受信装置１４を介して入構証読取用ＨＴ１２に送信し表示出力する。【選択図】  図１
2009128924.tif 000002
【特許請求の範囲】
【請求項１】
事業所へ入退構するための入退構専用道路に使用される入退構管理装置において、入退構乗合車両に乗車する際に乗車者の所持する入構証ＩＣカードのＩＤ番号を読み取り記憶するとともに読み取った入構証ＩＣカードの枚数を表示出力する入構証読取用ＨＴと、前記事業所への入構を許可された者のＩＤ番号を予め登録した照合用ＩＤデータベースと、前記事業所の入退構の際に前記入退構乗合車両が一時停止する停止位置に設置され前記入構証読取用ＨＴに記憶された乗車者のＩＤ番号を受信する送受信装置と、前記送受信装置で受信した前記入構証読取用ＨＴに記憶された乗車者のＩＤ番号と前記照合用ＩＤデータベースに記憶された照合用ＩＤ番号とが適合した適合ＩＤの総数を表示出力する表示装置と、不適合のＩＤ番号を前記送受信装置を介して前記入構証読取用ＨＴ及び警備員が携帯する携帯ＨＴに送信し表示出力する演算制御装置とを備えたことを特徴とする入退構管理装置。
【請求項２】
請求項１の入退構管理装置を用いて事業所への車両の入退構を管理する入退構管理方法において、入退構乗合車両の運転手は前記入退構乗合車両の乗車時に入構証ＩＣカード不携帯者及び前記入構証読取用ＨＴでの入構証ＩＣカード読取失敗者を確認するとともに前記入構証読取用ＨＴで読み取った入構証ＩＣカードの枚数を確認し、前記入退構乗合車両が前記事業所に到着したときは前記運転手は前記入構証読取用ＨＴで読み取った入構証ＩＣカードの枚数を警備員に報告し、前記警備員は入退構乗合車両の乗車者人数が前記入構証読取用ＨＴで読み取った入構証ＩＣカードの枚数及び前記表示装置が表示出力した適合ＩＤの総数と一致するか否かを確認することを特徴とする入退構管理方法。
【請求項３】
請求項２の入退構管理方法において、前記入退構乗合車両の運転手は、前記事業所に到着したときは前記運転手は前記入構証読取用ＨＴで読み取った入構証ＩＣカードの枚数を警備員に報告し、前記警備員は入退構車両の乗車者人数が前記入構証読取用ＨＴで読み取った入構証ＩＣカードの枚数及び前記表示装置が表示出力した適合ＩＤの総数と一致するか否かを確認し、これらが一致するときは前記入退構乗合車両の入退構を許可することを特徴とする入退構管理方法。
【請求項４】
請求項３の入退構管理方法において、入退構乗合車両の乗車者人数と、前記入構証読取用ＨＴで読み取った入構証ＩＣカードの枚数と、前記表示装置が表示出力した適合ＩＤの総数とが一致しないときは、警備員は入退構乗合車両に乗車し、不適合の入構証ＩＣカードの乗車者に降車するように促し、不適合の入構証ＩＣカードの乗車者の降車後の乗車者人数が前記表示装置が表示出力した適合ＩＤの総数と一致するときは前記入退構乗合車両の入退構を許可することを特徴とする入退構管理方法。
【請求項５】
請求項４の入退構管理方法において、不適合の入構証ＩＣカードの乗車者の降車後の乗車者人数が前記表示装置が表示出力した適合ＩＤの総数と一致しないときは、警備員は不適合の入構証ＩＣカードの乗車者の降車後の乗車者全員に対して入構証ＩＣカードを警備員が携帯する前記携帯ＨＴで読み取らせ、未だ降車していない不適合の入構証ＩＣカードの乗車者を特定して降車させ、その不適合の入構証ＩＣカードの乗車者の降車後の乗車者人数が前記表示装置が表示出力した適合ＩＤの総数と一致するときは前記入退構乗合車両の入退構を許可することを特徴とする入退構管理方法。
【請求項６】
請求項２の入退構管理方法において、前記入退構乗合車両の運転手は、前記入退構乗合車両の乗車時に入構証ＩＣカード不携帯者及び前記入構証読取用ＨＴでの入構証ＩＣカード読取失敗者が存在するときは、前記入構証ＩＣカード不携帯者及び前記入構証ＩＣカード読取失敗者が前記事業所で降車することを条件に乗車を許可し、前記事業所に到着したときは前記運転手は前記入構証読取用ＨＴで読み取った入構証ＩＣカードの枚数を警備員に報告するとともに、前記入構証ＩＣカード不携帯者及び前記入構証ＩＣカード読取失敗者に降車するように促し、前記警備員は前記入構証ＩＣカード不携帯者及び前記入構証ＩＣカード読取失敗者の降車後の乗車者人数が前記表示装置が表示出力した適合ＩＤの総数と一致するときは前記入退構乗合車両の入退構を許可することを特徴とする入退構管理方法。
【請求項７】
前記請求項６の発明において、前記入構証ＩＣカード不携帯者及び前記入構証ＩＣカード読取失敗者の降車後の乗車者人数が前記表示装置が表示出力した適合ＩＤの総数と一致しないときは、警備員は入退構乗合車両に乗車し、不適合の入構証ＩＣカードの乗車者に降車するように促し、不適合の入構証ＩＣカードの乗車者の降車後の乗車者人数が前記表示装置が表示出力した適合ＩＤの総数と一致するときは前記入退構乗合車両の入退構を許可することを特徴とする入退構管理方法。
【請求項８】
請求項７の入退構管理方法において、不適合の入構証ＩＣカードの乗車者の降車後の乗車者人数が前記表示装置が表示出力した適合ＩＤの総数と一致しないときは、警備員は不適合の入構証ＩＣカードの乗車者の降車後の乗車者全員に対して入構証ＩＣカードを警備員が携帯する前記携帯ＨＴで読み取らせ、未だ降車していない不適合の入構証ＩＣカードの乗車者を特定して降車させ、その不適合の入構証ＩＣカードの乗車者の降車後の乗車者人数が前記表示装置が表示出力した適合ＩＤの総数と一致するときは前記入退構乗合車両の入退構を許可することを特徴とする入退構管理方法。
【請求項９】
請求項３乃至８のいずれか１項記載の入退構管理方法において、前記入退構乗合車両の入退構を許可する際に、警備員は乗車者による入構証ＩＣカードの提示にて乗車者の確認を行うことを特徴とする入退構管理方法。
【発明の詳細な説明】
【技術分野】
【０００１】
本発明は、事業所へ入退構するための入退構専用道路に使用される入退構管理装置及び方法に関する。
【背景技術】
【０００２】
例えば、工場や発電所などの大規模な事業所においては、機密保持や安全確保等の観点から許可された者のみを構内に入場させる入構管理が行われている。また、自家用車等の車両を使って通勤する者に対しては、車両専用ゲートが設けられ入構管理が行われている。
【０００３】
一般に、事業所への入構管理は、車両専用ゲートに配置された警備員が入構車両を停止させ、乗車者の所持する入構許可証を目視にて確認し、入構許可された者であるか否かを判断している。入構許可証は、所定の審査の上、氏名、所属部署、有効期限等が記載され、顔写真を印刷して発行される。
【０００４】
このような警備員による許可証の目視確認では、顔写真と入構許可証を所持する者とが同一人物であるか否かの確認は即時にできるものの、入構許可証自体の有効性確認は困難である。そこで、入退場管理装置が開発されている。
【０００５】
入退場管理装置として、車両に無線ＩＤタグを搭載し、無線ＩＤタグと無線で情報の授受を行う入場用リーダ装置及び処理部を備え、入場用リーダ装置から無線ＩＤタグに記録された車両ＩＤを入力して、処理部は、車両ＩＤを入力した時刻が車両ＩＤをもつ車両が正規退場後、所定の第１の回避時間が経過した後の時刻であるか、あるいは、車両ＩＤをもつ車両が未入場であれば、車両ＩＤをもつ車両は正規の入場であると判断し、退場用リーダ装置から車両ＩＤを入力すると、車両ＩＤを入力した時刻が車両ＩＤをもつ車両が正規入場後、所定の第２の回避時間が経過した後の時刻であれば、車両ＩＤをもつ車両は正規の退場であると判断し、車両入退場の誤認識を防止し信頼性を高めたものがある（例えば、特許文献１参照）。
【０００６】
また、固定側にコントローラを配置し、人や車両等の移動体側に固有ＩＤを有する特定のタグを配置し、コントローラとタグとの間の送受信を光信号や電波にて行うことで固有ＩＤを認証用データベースより判定して位置ＩＤ及びタグＩＤの認証を行うとともに、その認証判定と予め個人情報として記録した生体認証用データベースとに基づいた判定結果により防犯管理を行うようにしたものがある（例えば、特許文献２参照）。
【０００７】
さらに、携帯電話及び携帯端末やＰＣ（personal computer）とインターネットを介して通信可能なＥＴＣ管理サーバを設け、ＥＴＣ管理サーバは、携帯電話を携帯した乗車者が居る車両の道路への通行を許可するための通行許可情報を生成し、ゲート開閉制御装置は、ＥＴＣ管理サーバから携帯電話へインターネットを介して通知された有料道路の通行許可情報に基づいて、有料道路への車両の入退場を制御するようにしたものがある（例えば、特許文献３参照）。
【特許文献１】特開２００７−２５７４０７号公報
【特許文献２】特開２００６−１１９７７５号公報
【特許文献３】特開２００５−３１６７３７号公報
【発明の開示】
【発明が解決しようとする課題】
【０００８】
ところが、特許文献１のものでは車両入退場の誤認識を防止できるが、車両の乗車者の入退構の認識をすることができない。また、特許文献２のものでは、固有ＩＤの認証だけでなく生体認証も行ってセキュリティを高めているので、入構のための認証に時間がかかる。例えば、大型乗合自動車であるバスに大勢の乗車者が乗車している場合に、乗車者全員の入退構の可否を判定するには時間がかかる。また、特許文献３のものは車両の乗車者ごとに入退場を制御できるが、特許文献２の場合と同様に、大型乗合自動車に大勢の乗車者が乗車しているような場合に、乗車者全員の入退構の可否を判定するには時間がかかり、適用が困難となる。
【０００９】
前述したように、現状においては、事業所での入退構は、警備員による入構証の目視確認が行われているが、有効期限切れ入構証や偽造入構証などの不正入構証を判別することは難しい。また、朝の通勤時間帯には事業所への入構が集中し、特に最寄り駅から事業所までの入退構乗合車両（通勤専用バス）の乗車者について、事業所への入構を滞らせることなく不正入構証を短時間で判別することは事実上不可能である。
【００１０】
本発明の目的は、警備員の負担を増やすことなく、入退構乗合車両の乗車者に対して、事業所の入退構を迅速かつ精度よく行うことができる入退構管理装置及び方法を提供することである。
【課題を解決するための手段】
【００１１】
請求項１の発明に係わる入退構管理装置は、事業所へ入退構するための入退構専用道路に使用される入退構管理装置において、入退構乗合車両に乗車する際に乗車者の所持する入構証ＩＣカードのＩＤ番号を読み取り記憶するとともに読み取った入構証ＩＣカードの枚数を表示出力する入構証読取用ＨＴと、前記事業所への入構を許可された者のＩＤ番号を予め登録した照合用ＩＤデータベースと、前記事業所の入退構の際に前記入退構乗合車両が一時停止する停止位置に設置され前記入構証読取用ＨＴに記憶された乗車者のＩＤ番号を受信する送受信装置と、前記送受信装置で受信した前記入構証読取用ＨＴに記憶された乗車者のＩＤ番号と前記照合用ＩＤデータベースに記憶された照合用ＩＤ番号とをが適合した適合ＩＤの総数を表示出力する表示装置と、不適合のＩＤ番号を前記送受信装置を介して前記入構証読取用ＨＴ及び警備員が携帯する携帯ＨＴに送信し表示出力する演算制御装置とを備えたことを特徴とする入退構管理装置。
【００１２】
請求項２の発明に係わる入退構管理方法は、請求項１の入退構管理装置を用いて事業所への乗合車両の入退構を管理する入退構管理方法において、入退構乗合車両の運転手は前記入退構乗合車両の乗車時に入構証ＩＣカード不携帯者及び前記入構証読取用ＨＴでの入構証ＩＣカード読取失敗者を確認するとともに前記入構証読取用ＨＴで読み取った入構証ＩＣカードの枚数を確認し、前記入退構乗合車両が前記事業所に到着したときは前記運転手は前記入構証読取用ＨＴで読み取った入構証ＩＣカードの枚数を警備員に報告し、前記警備員は入退構乗合車両の乗車者人数が前記入構証読取用ＨＴで読み取った入構証ＩＣカードの枚数及び前記表示装置が表示出力した適合ＩＤの総数と一致するか否かを確認することを特徴とする。
【００１３】
請求項３の発明に係わる入退構管理方法は、請求項２の入退構管理方法において、前記入退構乗合車両の運転手は、前記事業所に到着したときは前記運転手は前記入構証読取用ＨＴで読み取った入構証ＩＣカードの枚数を警備員に報告し、前記警備員は入退構乗合車両の乗車者人数が前記入構証読取用ＨＴで読み取った入構証ＩＣカードの枚数及び前記表示装置が表示出力した適合ＩＤの総数と一致するか否かを確認し、これらが一致するときは前記入退構乗合車両の入退構を許可することを特徴とする。
【００１４】
請求項４の発明に係わる入退構管理方法は、請求項３の入退構管理方法において、入退構乗合車両の乗車者人数と、前記入構証読取用ＨＴで読み取った入構証ＩＣカードの枚数と、前記表示装置が表示出力した適合ＩＤの総数とが一致しないときは、警備員は入退構乗合車両に乗車し、不適合の入構証ＩＣカードの乗車者に降車するように促し、不適合の入構証ＩＣカードの乗車者の降車後の乗車者人数が前記表示装置が表示出力した適合ＩＤの総数と一致するときは前記入退構乗合車両の入退構を許可することを特徴とする。
【００１５】
請求項５の発明に係わる入退構管理方法は、請求項４の入退構管理方法において、不適合の入構証ＩＣカードの乗車者の降車後の乗車者人数が前記表示装置が表示出力した適合ＩＤの総数と一致しないときは、警備員は不適合の入構証ＩＣカードの乗車者の降車後の乗車者全員に対して入構証ＩＣカードを警備員が携帯する前記携帯ＨＴで読み取らせ、未だ降車していない不適合の入構証ＩＣカードの乗車者を特定して降車させ、その不適合の入構証ＩＣカードの乗車者の降車後の乗車者人数が前記表示装置が表示出力した適合ＩＤの総数と一致するときは前記入退構乗合車両の入退構を許可することを特徴とする。
【００１６】
請求項６の発明に係わる入退構管理方法は、請求項２の入退構管理方法において、前記入退構乗合車両の運転手は、前記入退構乗合車両の乗車時に入構証ＩＣカード不携帯者及び前記入構証読取用ＨＴでの入構証ＩＣカード読取失敗者が存在するときは、前記入構証ＩＣカード不携帯者及び前記入構証ＩＣカード読取失敗者が前記事業所で降車することを条件に乗車を許可し、前記事業所に到着したときは前記運転手は前記入構証読取用ＨＴで読み取った入構証ＩＣカードの枚数を警備員に報告するとともに、前記入構証ＩＣカード不携帯者及び前記入構証ＩＣカード読取失敗者に降車するように促し、前記警備員は前記入構証ＩＣカード不携帯者及び前記入構証ＩＣカード読取失敗者の降車後の乗車者人数が前記表示装置が表示出力した適合ＩＤの総数と一致するときは前記入退構乗合車両の入退構を許可することを特徴とする。
【００１７】
請求項７の発明に係わる入退構管理方法は、前記請求項６の発明において、前記入構証ＩＣカード不携帯者及び前記入構証ＩＣカード読取失敗者の降車後の乗車者人数が前記表示装置が表示出力した適合ＩＤの総数と一致しないときは、警備員は入退構乗合車両に乗車し、不適合の入構証ＩＣカードの乗車者に降車するように促し、不適合の入構証ＩＣカードの乗車者の降車後の乗車者人数が前記表示装置が表示出力した適合ＩＤの総数と一致するときは前記入退構乗合車両の入退構を許可することを特徴とする。
【００１８】
請求項８の発明に係わる入退構管理方法は、請求項７の入退構管理方法において、不適合のＩＤ番号の乗車者の降車後の乗車者人数が前記表示装置が表示出力した適合ＩＤの総数と一致しないときは、警備員は不適合の入構証ＩＣカードの乗車者の降車後の乗車者全員に対して入構証ＩＣカードを警備員が携帯する携帯ＨＴで読み取らせ、未だ降車していない不適合の入構証ＩＣカードの乗車者を特定して降車させ、その不適合の入構証ＩＣカードの乗車者の降車後の乗車者人数が前記表示装置が表示出力した適合ＩＤの総数と一致するときは前記入退構乗合車両の入退構を許可することを特徴とする。
【００１９】
請求項９の発明に係わる入退構管理方法は、請求項３乃至８のいずれか１項記載の入退構管理方法において、前記入退構乗合車両の入退構を許可する際に、警備員は乗車者による入構証ＩＣカードの提示にて乗車者の確認を行うことを特徴とする。
【発明の効果】
【００２０】
本発明によれば、入退構乗合車両に入構証読取用ＨＴを搭載し、入退構乗合車両に乗車する際に乗車者の所持する入構証ＩＣカードのＩＤ番号を入構証読取用ＨＴで読み取り、入構証読取用ＨＴに記憶された乗車者のＩＤ番号と、予め照合用ＩＤデータベースに登録された照合用ＩＤ番号とを照合し、適合した適合ＩＤの総数及び不適合のＩＤ番号を表示出力するので、警備員はこれらの情報に基づき入退構乗合車両の乗車者の入退構管理を行える。従って、警備員の負担を増やすことなく、入退構乗合車両の乗車者に対して、事業所の入退構を迅速かつ精度よく行うことができる。
【発明を実施するための最良の形態】
【００２１】
図１は本発明の実施の形態に係わる入構管理装置の構成図である。入退構乗合車両１１は、例えば、事業所に勤務する従業員や取引業者等を乗車させて事業所構内に出入りするバスである。入退構乗合車両１１には、従業員や取引業者等の入構が許可された者に交付された入構証ＩＣカードを読み取るための入構証読取用ＨＴ（Handy Terminal）１２が設置されている。バスの乗車者は入構証読取用ＨＴ１２に入構証ＩＣカードを読み取らせてから乗車する関係から、入構証読取用ＨＴ１２はバスの乗車口に配置される。
【００２２】
入構証読取用ＨＴ１２は、読み取った入構証ＩＣカードのＩＤ番号を照合するサーバ１３と送受信装置１４を介して無線ＬＡＮによる通信機能を有する。また、読み取った入構証ＩＣカードのＩＤ番号を記憶する機能、入構証ＩＣカードの読取成功音（乗車/降車）を発生させる機能、入構証ＩＣカードの読取枚数を表示する機能、照合後のエラーカード番号を表示する機能等を有する。すなわち、入構証読取用ＨＴ１２は、記憶装置、音発生器、表示器を有し、記憶装置に読み取った入構証ＩＣカードを記憶し、音発生器に入構証ＩＣカードの読取成功音を出力し、表示器に入構証ＩＣカードの読取枚数や照合後のエラーカード番号の表示等を行う。
【００２３】
また、警備員２６が携帯する携帯ＨＴ２８も入構証読取用ＨＴ１２と同様の機能を有し、携帯ＨＴ２８は警備員２６が必要に応じて入構証ＩＣカードの読み取りを行うものであり、後述するように、不適合の入構証ＩＣカードを携帯したまま入退構乗合車両１１に乗車している者を特定する際に使用される。
【００２４】
サーバ１３は、事業所への入構を許可された者のＩＤ番号を予め登録した照合用ＩＤデータベース１５と、入構証読取用ＨＴで読み取られた乗車者のＩＤ番号と照合用ＩＤデータベースに登録された照合用ＩＤ番号とを照合する演算制御装置１６とを有する。
【００２５】
送受信装置１４は事業所の入退構の際に入退構乗合車両１１が一時停止する停止位置（停止線）１８の近傍に設置される。入退構乗合車両１１の運転手は事業所の停止線１８で入退構乗合車両１１を停止させ、その後に、入構証読取用ＨＴ１２の送信スイッチを操作して、入構証読取用ＨＴ１２に記憶された乗車者のＩＤ番号を送受信装置１４に送信する。送受信装置１４は、入構証読取用ＨＴ１２や携帯ＨＴ２８に記憶された乗車者のＩＤ番号を受信し演算制御装置１６に入力する。
【００２６】
演算制御装置１６は、入構証読取用ＨＴ１２や携帯ＨＴ２８に記憶された乗車者のＩＤ番号と照合用ＩＤデータベース１５に登録された照合用ＩＤ番号とを照合する。照合用ＩＤデータベース１５には、照合用ＩＤ番号に対応付けられて、個人情報、有効期限などが記憶されているので、演算制御装置１６は、入構証読取用ＨＴ１２や携帯ＨＴ２８で読み取られた乗車者のＩＤ番号に対応する照合用ＩＤ番号の有無や有効期限の有効性を照合する。そして、適合するＩＤ番号を計数し適合ＩＤの総数を表示装置１７に表示出力する。また、演算制御装置１６は不適合のＩＤ番号を送受信装置１４を介して入構証読取用ＨＴ１２や携帯ＨＴ２８に送信する。入構証読取用ＨＴ１２や携帯ＨＴ２８はその表示器に不適合のＩＤ番号を表示出力する。
【００２７】
図２は本発明の実施の形態に係わる入構管理装置を事業所に適用した場合の構成図である。事業所が面する一般道路１９には、入構専用道路２０及び退構専用道路２１が設けられており、事業所の構外と構内との境界にはゲート２２が設置されている。入構乗合車両２３は構外の一般道路１９から入構専用道路２０に入り、ゲート２２を通過して構内に入り、入構レーン２４を進み停止線１８で一旦停止する。
【００２８】
前述したように、入構乗合車両２３に搭乗する乗車者は、入構乗合車両２３に乗車する際に、予め入構乗合車両２３に搭載された入構証読取用ＨＴ１２に乗車者の所持する入構証ＩＣカードのＩＤ番号を読み取らせておく。そして、入構乗合車両２３の運転手は、入構乗合車両２３に搭乗する乗車者の、入構証ＩＣカードの不携帯及び入構証読取用ＨＴ１２での入構証ＩＣカード読取の失敗を確認し、また、入構証読取用ＨＴ１２の表示器により、入構証読取用ＨＴ１２で読み取った入構証ＩＣカードの枚数を確認しておく。
【００２９】
入構乗合車両２３の運転手は、入構乗合車両２３を停止線１８で一旦停止させると、警備員２６に入構証読取用ＨＴ１２で読み取った入構証ＩＣカードの枚数を報告する。また、停止線１８の近傍には送受信装置１４が設けられている。入構乗合車両２３の運転手は、入構証読取用ＨＴ１２の送信スイッチをオンして、入構証読取用ＨＴ１２で読み取った入構証ＩＣカードのＩＤ番号を送受信装置１４を介してサーバ１３に送信する。サーバ１３は入構証読取用ＨＴ１２で読み取った入構証ＩＣカードの適合ＩＤの総数を表示装置１７に表示する。また、サーバ１３は不適合のＩＤ番号があるときは、その不適合のＩＤ番号を送受信装置１４を介して入構証読取用ＨＴ１２に送信し、入構証読取用ＨＴ１２の表示器に不適合のＩＤ番号を表示出力する。
【００３０】
警備員２６は、入構乗合車両２３の乗車者人数（入構証所持人数）が入構証読取用ＨＴ１２で読み取った入構証ＩＣカードの枚数と一致し、サーバ１３が表示装置１７に表示出力した適合ＩＤの総数と一致する場合には、入構乗合車両２３の入構を許可する。一方、入構乗合車両２３の入構証所持人数が入構証読取用ＨＴ１２で読み取った入構証ＩＣカードの枚数と一致しない場合には、警備員２６は入構乗合車両２３に乗車し、未だ降車していない入構証ＩＣカード読取失敗者の降車を促し、降車してもらう。
【００３１】
同様に、入構乗合車両２３の入構証所持人数が表示装置１７に表示出力した適合ＩＤの総数と一致しない場合には、警備員２６は入構乗合車両２３に乗車し、入構証読取用ＨＴ１２の表示器に表示された不適合のＩＤ番号の入構証ＩＣカードを携帯している未だ降車していない乗車者の降車を促し、降車してもらう。
【００３２】
入構証ＩＣカード読取失敗者及び不適合の入構証ＩＣカード携帯者の降車後においても、入構証所持人数が入構証読取用ＨＴ１２の読取枚数及び適合ＩＤの総数と一致しない場合には、入構証ＩＣカード読取失敗者及び不適合の入構証ＩＣカード携帯者が未だ入構乗合車両２３に乗車していることになるので、その者を特定するために、警備員２６は、自己が携帯する携帯ＨＴ２８に乗車者全員の入構証ＩＣカードを読み取らせて入構証ＩＣカード読取失敗者及び不適合の入構証ＩＣカード携帯者を特定する。警備員２６は、特定した入構証ＩＣカード読取失敗者及び不適合の入構証ＩＣカード携帯者を、入構乗合車両２３から降車させる。その後に、入構乗合車両２３の入構を許可する。
【００３３】
一方、事業所から退構する場合にも同様に、退構乗合車両２７は停止線１８で一旦停止し、退構乗合車両２７の運転手は、入構証読取用ＨＴ１２の送信スイッチをオンして、入構証読取用ＨＴ１２で読み取った入構証ＩＣカードのＩＤ番号を送受信装置１４を介してサーバ１３に送信する。サーバ１３は入構証読取用ＨＴ１２で読み取った入構証ＩＣカードの適合ＩＤの総数を表示装置１７に表示する。また、サーバ１３は不適合のＩＤ番号があるときは、その不適合のＩＤ番号を送受信装置１４を介して入構証読取用ＨＴ１２に送信し、入構証読取用ＨＴ１２の表示器に不適合のＩＤ番号を表示出力する。
【００３４】
図３は本発明の実施の形態に係わる入構管理方法の工程を示すフローチャートである。図３では事業所に入構する場合の工程を示している。入構乗合車両２３に搭乗する乗車者は、入構乗合車両２３に乗車する際に、予め入構乗合車両２３に搭載された入構証読取用ＨＴ１２に乗車者の所持する入構証ＩＣカードのＩＤ番号を読み取らせる（Ｓ１）。そして、入構乗合車両２３の運転手は、入構乗合車両２３の乗車時に、読み取り未実施者及び失敗者がいるかどうか、つまり、入構証ＩＣカード不携帯者及び入構証読取用ＨＴ１２での入構証ＩＣカード読取失敗者がいるか否かを確認する（Ｓ２）。入構証ＩＣカード不携帯者は入構証読取用ＨＴ１２での読み取りを行わないことで確認でき、入構証ＩＣカード読取失敗者は入構証読取用ＨＴ１２の読取成功音の有無で確認できる。運転手は、入構証ＩＣカード不携帯者やＩＣカード読取失敗者がいるときは事業所の出入口で降車することを条件に乗車を許可する（Ｓ３）。入構証読取用ＨＴ１２で読み取った入構証ＩＣカードの枚数は、入構証読取用ＨＴ１２の表示器に表示される（Ｓ４）。運転手は、入構証読取用ＨＴ１２の表示器で入構証ＩＣカードの枚数を確認して入構乗合車両２３を出発させる（Ｓ５）。
【００３５】
入構乗合車両２３の運転手は、入構乗合車両２３が事業所に到着すると入構乗合車両２３を停止線１８で一旦停止させ、警備員２６に入構証読取用ＨＴ１２で読み取った入構証ＩＣカードの枚数を報告する（Ｓ６）。入構乗合車両２３の運転手は、入構証ＩＣカード不携帯者及び入構証ＩＣカード読取失敗者の降車を促す（Ｓ７）。
【００３６】
また、入構乗合車両２３の運転手は、入構証読取用ＨＴ１２の送信スイッチをオンして、入構証読取用ＨＴ１２で読み取った入構証ＩＣカードのＩＤ番号を送受信装置１４を介してサーバ１３に送信し、サーバ１３により入構証読取用ＨＴ１２で読み取った入構証ＩＣカードの照合を行わせる（Ｓ８）。その照合結果である適合ＩＤの総数はサーバ１３の表示装置１７に表示される（Ｓ９）。また、サーバ１３は不適合のＩＤ番号があるときは、その不適合のＩＤ番号を送受信装置１４を介して入構証読取用ＨＴ１２に送信し、入構証読取用ＨＴ１２の表示器に不適合のＩＤ番号を表示する（Ｓ１０）。
【００３７】
警備員２６は、入構乗合車両２３の乗車者に対して入構証ＩＣカードの提示を指示し、乗車者の入構証ＩＣカードの目視確認及び人数確認を行う。つまり、カードの顔写真が所持者と同一人物であることを確認するとともに、入構証ＩＣカードの所持人数を計数する（Ｓ１１）。
【００３８】
警備員２６は、乗車人数と読み取った入構ＩＣカード数と適合ＩＤ総数とが一致するかどうか、すなわち、入構乗合車両２３の入構証所持人数と、運転手より報告を受けた入構証ＩＣカードの枚数（入構証読取用ＨＴ１２で読み取った入構証ＩＣカードの枚数）と、サーバ１３の表示装置１７に表示された適合ＩＤの総数とが一致するか否かを判断する（Ｓ１２）。一致するときは、入構乗合車両２３の入構を許可する（Ｓ１３）。一方、一致しないときは、警備員２６は入構乗合車両２３に乗車し、入構証ＩＣカード読取失敗者及び不適合の入構証ＩＣカード携帯者の降車を促し降車させる（Ｓ１４）。
【００３９】
警備員２６は、この状態で入構乗合車両２３の入構証所持人数と入構証読取用ＨＴ１２の読取枚数と適合ＩＤの総数とが一致するか否かを判断する（Ｓ１５）。一致するときは、入構乗合車両２３の入構を許可する（Ｓ１３）。一方、一致しないときは、入構乗合車両２３の乗車者全員の入構証ＩＣカードを警備員が携帯する携帯ＨＴ２８で読み取らせる（Ｓ１６）。そして、未だ降車していない不適合のＩＤ番号の入構証ＩＣカードを携帯する乗車者を特定し降車させる（Ｓ１７）。その後に、入構乗合車両２３の入構を許可する（Ｓ１３）。図３では事業所に入構する場合の工程について説明したが、事業所から退構する場合の工程についても同様に行われる。
【００４０】
次に、警備員２６が計数した入構証ＩＣカードの所持人数（入構証所持人数）、入構証読取用ＨＴ１２でＩＤ番号を読み取った入構証ＩＣカードの読取枚数（ＨＴ読取人数）、サーバ１３により照合した適合ＩＤの総数（データ照合人数）が一致する場合及び不一致の場合について場合分けして入構管理を説明する。
【００４１】
（１）入構証所持人数＝ＨＴ読取人数＝データ照合人数の場合
この場合には、入構乗合車両に乗車している乗車者全員が正規の入構証を所持している。従って、入構乗合車両２３は入構を許可される。
【００４２】
（２）入構証所持人数＝ＨＴ読取人数＞データ照合人数の場合
この場合は、入構証所持人数＝ＨＴ読取人数であることから、乗車者全員の乗車時の入構証読取用ＨＴによる入構証ＩＣカードの読み取りが成功している。また、入構証所持人数＞データ照合人数であることから、未だ乗車者の中に有効期限切れ等の入構証ＩＣカードを所持している人がおり、照合の際にエラーとなり人数が少なくなったと判断できる。
【００４３】
照合エラー内容及びそのＩＤ番号が入構証読取用ＨＴ１２の表示器に表示されるので、警備員２６は、入構乗合車両２３に乗車し、入構証読取用ＨＴ１２の表示器に表示された不適合のＩＤ番号を確認する。そして、警備員２６は、表示されたＩＤ番号により不適合の入構証ＩＣカードを携帯している乗車者を呼び出し降車させる。その後に、警備員は入構乗合車両２３の入構を許可する。
【００４４】
（３）入構証所持人数＞ＨＴ読取人数＝データ照合人数
この場合は、入構証所持人数＞ＨＴ読取人数であることから、入構証ＩＣカードは所持しているが、入構証ＩＣカードの破損、不良などにより入構証読取用ＨＴ１２で読み取りができなかった人が、未だ入構乗合車両２３に乗車したままである。また、ＨＴ読取人数＝データ照合人数であることから、乗車時に入構証ＩＣカードの読取に成功した人は全員が正規の入構証ＩＣカードを所持していると断定できる。
【００４５】
入構証ＩＣカード読取失敗者は入構証読取用ＨＴ１２で読み取れていないことから、入構証読取用ＨＴ１２の表示器にはエラー内容が表示されない。そこで、警備員２６は、入退乗合車両２３に乗車し、入構証ＩＣカード読取失敗者に入退乗合車両２３から降車するように促し降車させる。そして、警備員２６は、降車後の乗車人数が表示装置１７のデータ照合人数と一致するかを確認し、一致した場合は入構を許可する。一方、不一致の場合は、警備員２６は携帯ＨＴ２８により入構乗合車両２３の乗車者全員の入構証ＩＣカードを読み取り、未だ降車していない入構証ＩＣカード読取失敗者を特定し、降車するように促し降車させる。その後に、警備員２６は入構車両２３の入構を許可する。
【００４６】
（４）入構証所持人数＞ＨＴ読取人数＞データ照合人数
この場合は、入構証所持人数とＨＴ読取人数とデータ照合人数との全てが一致しないことから、乗車時に入構証読取用ＨＴ１２による入構証ＩＣカードの読み取りが失敗している人、及び有効期限切れ等の入構証ＩＣカードを所持している人が、未だ入構乗合車両２３に乗車していると断定できる。
【００４７】
有効期限切れ等の入構証ＩＣカードを所持している人は入構証読取用ＨＴ１２の表示器に照合エラー内容及びそのＩＤ番号が表示されるが、入構証ＩＣカード読取失敗者は表示されない。そこで、警備員２６は、入退乗合車両２３に乗車し、まず入構証ＩＣカード読取失敗者に入構乗合車両２３から降車するように促し降車させる。つぎに、警備員２６は、入構証読取用ＨＴ１２の表示器に表示された不適合のＩＤ番号を確認する。そして、警備員２６は、表示されたＩＤ番号により不適合の入構証ＩＣカードを携帯している乗車者に降車を促し降車させる。
【００４８】
そして、警備員２６は、降車後の乗車人数が表示装置１７のデータ照合人数と一致するかを確認し、一致した場合は入構を許可する。一方、不一致の場合は、警備員２６は携帯ＨＴ２８により入構乗合車両２３の乗車者全員の入構証ＩＣカードを読み取り、未だ降車していない有効期限切れ等の入構証ＩＣカード所持者及び入構証ＩＣカード読取失敗者を特定し、降車するように促し降車させる。その後に、警備員２６は入構乗合車両２３の入構を許可する。
【００４９】
本発明の実施の形態によれば、例えば、大勢の通勤者が乗車する入退構乗合車両に入構証読取用ＨＴを搭載し、入退構乗合車両に乗車する際に乗車者の所持する入構証ＩＣカードのＩＤ番号を入構証読取用ＨＴで読み取るので、大勢の通勤者に対しても入構証ＩＣカードの読み取りが容易に行える。そして、入構証読取用ＨＴに記憶された乗車者のＩＤ番号と、予め照合用ＩＤデータベースに登録された照合用ＩＤ番号とを照合し、適合した適合ＩＤの総数及び不適合のＩＤ番号を表示出力するので、警備員はこれらの情報に基づき入退構乗合車両の乗車者の入退構管理を行える。
【００５０】
また、適合した適合ＩＤの総数と乗車者人数とが不一致のときは、警備員は携帯ＨＴにより不適合の入構証ＩＣカードの携帯者を特定できるので、警備員の負担を増やすことなく、入退構乗合車両の乗車者に対して、事業所の入退構を迅速かつ精度よく行うことができる。
【図面の簡単な説明】
【００５１】
【図１】本発明の実施の形態に係わる入構管理装置の構成図。
【図２】本発明の実施の形態に係わる入構管理装置を事業所に適用した場合の構成図。
【図３】本発明の実施の形態に係わる入構管理方法の工程を示すフローチャート。
【符号の説明】
【００５２】
１１…入退構乗合車両、１２…入構証読取用ＨＴ、１３…サーバ、１４…送受信装置、１５…照合用ＩＤデータベース、１６…演算制御装置、１７…表示装置、１８…停止線、１９…一般道路、２０…入構専用道路、２１…退構専用道路、２２…ゲート、２３…入構乗合車両、２４…入構レーン、２５…受付、２６…警備員、２７…退構乗合車両、２８…携帯ＨＴ
【図１】
2009128924.tif 000003
【図２】
2009128924.tif 000004
【図３】
2009128924.tif 000005